(57)【要約】【課題】確実に作業場の安全を図ることができる作業安全確認装置を提供する。【解決手段】作業管理者特定手段１と位置判定手段３と信号出力手段４とを有する。位置判定手段３は作業管理者特定手段１が所定の距離範囲内に位置するかどうかを判定する。信号出力手段４は位置判定手段３により作業管理者特定手段１が所定の距離範囲内に位置すると判定されたとき安全信号を出力する。信号出力手段４は位置判定手段３により作業管理者特定手段１が所定の距離範囲内に位置しないと判定されたとき危険信号を出力する。【選択図】図１
0003214061.tif 000002
【実用新案登録請求の範囲】
【請求項１】
作業管理者特定手段と位置判定手段と信号出力手段とを有し、
前記位置判定手段は前記作業管理者特定手段が所定の距離範囲内に位置するかどうかを判定する構成を有し、
前記信号出力手段は前記位置判定手段により前記作業管理者特定手段が所定の距離範囲内に位置すると判定されたとき安全信号を出力する構成を有することを、
特徴とする作業安全確認装置。
【請求項２】
前記信号出力手段は前記位置判定手段により前記作業管理者特定手段が所定の距離範囲内に位置しないと判定されたとき危険信号を出力する構成を有することを、
特徴とする請求項１記載の作業安全確認装置。
【請求項３】
作業者特定手段を有し、
前記位置判定手段は前記作業者特定手段が所定の距離範囲内に位置するかどうかを判定する構成を有し、
前記信号出力手段は前記位置判定手段により前記作業管理者特定手段が所定の距離範囲内に位置しないと判定されるとともに、前記位置判定手段により前記作業者特定手段が所定の距離範囲内に位置すると判定されたとき警報信号を出力する構成を有することを、
特徴とする請求項２記載の作業安全確認装置。
【考案の詳細な説明】
【技術分野】
【０００１】
本考案は、重機付近で作業する工事作業者など作業者の安全を確認するために用いられる作業安全確認装置に関する。
【背景技術】
【０００２】
重機を使用する作業場などでは、労働災害防止のため、労働安全衛生法により作業主任者を常駐させる必要がある。しかしながら、現実には守られていない作業場がみられる。この状況を改善するための作業安全管理システムが開示されている（例えば、特許文献１参照）。このシステムでは、作業場所、作業用機械、工具等の作業上の使用物、作業者、作業責任者等にＩＤＴＡＧを取り付け、これから認識符号を含むデータを読み取り、ＩＤＴＡＧに付随した応答出力を行うようになっている。これにより、危険現場に、関係のない作業員がいたとき警告し、作業場にいる作業者に安全な作業環境を提供するものである。
【先行技術文献】
【特許文献】
【０００３】
【特許文献１】特開２００８−１４６３０２号公報
【考案の概要】
【考案が解決しようとする課題】
【０００４】
しかしながら、特許文献１のシステムでは、危険な状態を警告して知らせるものの、安全な状態は表示されないため、システムが停止している場合には、危険でないと誤認してしまい、事故につながるおそれがあるという課題があった。
【０００５】
本考案は、このような課題に着目してなされたもので、確実に作業場の安全を図ることができる作業安全確認装置を提供することを目的とする。
【課題を解決するための手段】
【０００６】
上記目的を達成するために、本考案に係る作業安全確認装置は、作業管理者特定手段と位置判定手段と信号出力手段とを有し、前記位置判定手段は前記作業管理者特定手段が所定の距離範囲内に位置するかどうかを判定する構成を有し、前記信号出力手段は前記位置判定手段により前記作業管理者特定手段が所定の距離範囲内に位置すると判定されたとき安全信号を出力する構成を有することを、特徴とする。
本考案に係る作業安全確認装置は、作業管理者に作業管理者特定手段を所持させて用いる。位置判定手段により作業管理者特定手段が所定の距離範囲内に位置すると判定されたとき信号出力手段が安全信号を出力するので、作業管理者が所定の距離範囲内に位置することを安全信号で確認し、作業場の安全を確実に図ることができる。
【０００７】
本考案に係る作業安全確認装置において、前記信号出力手段は前記位置判定手段により前記作業管理者特定手段が所定の距離範囲内に位置しないと判定されたとき危険信号を出力する構成を有することが好ましい。
この場合、位置判定手段により作業管理者特定手段が所定の距離範囲内に位置しないと判定されたとき信号出力手段が危険信号を出力するので、作業場に作業管理者がいないことを危険信号で知らせ、作業場の安全を図ることができる。
【０００８】
本考案に係る作業安全確認装置は、作業者特定手段を有し、前記位置判定手段は前記作業者特定手段が所定の距離範囲内に位置するかどうかを判定する構成を有し、前記信号出力手段は前記位置判定手段により前記作業管理者特定手段が所定の距離範囲内に位置しないと判定されるとともに、前記位置判定手段により前記作業者特定手段が所定の距離範囲内に位置すると判定されたとき警報信号を出力する構成を有することが好ましい。
この場合、作業者に作業者特定手段を所持させて用いる。位置判定手段により作業管理者特定手段が所定の距離範囲内に位置せず、作業者特定手段が所定の距離範囲内に位置すると判定されたとき信号出力手段が警報信号を出力するので、作業場に作業管理者がおらず、作業者がいることを警報信号で知らせ、作業場の安全を図ることができる。
【０００９】
作業管理者特定手段および作業者特定手段はＩＣタグから成り、位置判定手段は所定の距離範囲内のＩＣタグを検出するＩＣタグリーダーを有することが好ましい。所定の距離範囲は、例えば、重機を中心として所定の距離範囲などで設定することが好ましい。
【考案の効果】
【００１０】
本考案によれば、確実に作業場の安全を図ることができる作業安全確認装置を提供することができる。
【図面の簡単な説明】
【００１１】
【図１】本考案の実施の形態の作業安全確認装置の使用状態を示す説明図である。
【考案を実施するための形態】
【００１２】
以下、図面に基づき本考案の実施の形態について説明する。
図１は、本考案の実施の形態を示している。
図１に示すように、作業安全確認装置は、作業管理者特定手段１と作業者特定手段２と位置判定手段３と信号出力手段４とを有している。
【００１３】
作業管理者特定手段１は、電池式のＩＣタグから成り、作業管理者Ａを特定するデータが記憶されている。作業者特定手段２は、電池式のＩＣタグから成り、作業者Ｂを特定するデータが記憶されている。位置判定手段３は、作業管理者の氏名を記載する表示板５に設けられている。位置判定手段３は、アンテナを備え、所定の距離範囲内のＩＣタグを検出するＩＣタグリーダーを有している。位置判定手段３は、所定の距離範囲を、例えば１ｍから１０ｍの範囲で調節可能となっている。所定の距離範囲は、重機Ｃで作業を行う作業区域Ｄの全体を包囲する範囲で設定される。作業区域は、三角コーンやロープなどで区域が分かるようにしておく。
【００１４】
位置判定手段３は、作業管理者特定手段１に記憶されたデータを読み取って、所定の距離範囲データと対応させ、作業管理者特定手段１が所定の距離範囲内に位置するかどうかを判定するようになっている。また、位置判定手段３は、作業者特定手段２に記憶されたデータを読み取って、所定の距離範囲データと対応させ、作業者特定手段２が所定の距離範囲内に位置するかどうかを判定するようになっている。
【００１５】
信号出力手段４は、表示板５に設けられている。信号出力手段４は、蓄電池で作動する青色ランプ４１と赤色ランプ４２とスピーカ４３とを有している。信号出力手段４は、位置判定手段３により作業管理者特定手段１が所定の距離範囲内に位置すると判定されたとき安全信号を出力する構成を有している。安全信号は、青色ランプ４１の点滅信号から成る。また、信号出力手段４は、位置判定手段３により作業管理者特定手段１が所定の距離範囲内に位置しないと判定されたとき危険信号を出力する構成を有している。危険信号は、赤色ランプ４２の点滅信号から成る。
【００１６】
信号出力手段４は、位置判定手段３により作業管理者特定手段１が所定の距離範囲内に位置しないと判定されるとともに、位置判定手段３により作業者特定手段２が所定の距離範囲内に位置すると判定されたとき、警報信号を出力する構成を有している。警報信号は、赤色ランプ４２の点滅信号とスピーカ４３からの「作業区域から出てください」などの音声出力から成る。
【００１７】
次に、作用について説明する。
本考案の実施の形態の作業安全確認装置は、作業管理者Ａに作業管理者特定手段１を所持させ、作業者Ｂに作業者特定手段２を所持させて用いる。作業管理者特定手段１および作業者特定手段２は、ヘルメットや作業着などに取り付けておいてもよい。
位置判定手段３により作業管理者特定手段１が所定の距離範囲内に位置すると判定されたとき信号出力手段４が安全信号を出力するので、作業管理者Ａが所定の距離範囲内に位置することを安全信号で確認し、作業場の安全を確実に図ることができる。
【００１８】
位置判定手段３により作業管理者特定手段１が所定の距離範囲内に位置しないと判定されたときには、信号出力手段４が危険信号を出力するので、作業場に作業管理者Ａがいないことを危険信号で知らせ、作業場の安全をさらに図ることができる。
位置判定手段３により作業管理者特定手段１が所定の距離範囲内に位置せず、作業者特定手段２が所定の距離範囲内に位置すると判定されたときには、信号出力手段４が警報信号を出力するので、作業場に作業管理者Ａがおらず、作業者Ｂがいることを警報信号で知らせ、作業場の安全を一層図ることができる。
【符号の説明】
【００１９】
Ａ  作業管理者
Ｂ  作業者
Ｃ  重機
Ｄ  作業区域
１  作業管理者特定手段
２  作業者特定手段
３  位置判定手段
４  信号出力手段
５  表示板
４１  青色ランプ
４２  赤色ランプ
４３  スピーカ
【図１】
0003214061.tif 000003